(57)【要約】【課題】  シャフトを保持するブラケットの通常の範囲を超えた移動を検出することのできる軸芯移動シャッターを提供する。【解決手段】  開口部３の一側に取り付けられた枠体９と、開口部３に対して垂直な方向で枠体９に移動自在に設けられたブラケット１５，１６と、ブラケット１５，１６に回動自在に支持され開口部３の上縁に沿って延在するとともに、両端に巻取板２９を固設したシャフト２３と、両側縁が巻取板２９に巻き取り・巻き戻されることで開口部３を開閉する開閉体５とを具備し、シャフト２３の回転に従動してブラケット１５，１６が移動される軸芯移動シャッター１００において、開閉体５の通常の巻き取り完了に応じたブラケット１５，１６の所定移動範囲を超えたオーバーランを検出する検出手段６９を、ブラケット１５，１６と枠体９との間に亘って設けた。【選択図】      図５
2005120597.tif 000002
【特許請求の範囲】
【請求項１】
開口部の一側に取り付けられた固定部材と、
前記開口部に対して垂直な方向で前記固定部材に移動自在に設けられた移動部材と、
該移動部材に回動自在に支持され前記開口部の一側に沿って延在するシャフトと、
前記シャフトに巻き取り・巻き戻されることで前記開口部を開閉する開閉体とを具備する軸芯移動シャッターにおいて、
前記開閉体の通常の巻き取り完了に応じた前記移動部材の所定移動範囲を超えたオーバーランを検出する検出手段を、前記移動部材と前記固定部材との間に亘って設けたことを特徴とする軸芯移動シャッター。
【請求項２】
前記移動部材は、前記固定部材に対し、前記シャフトの回転に従動して移動することを特徴とする請求項１記載の軸芯移動シャッター。
【請求項３】
前記移動部材は、前記シャフトに巻回される前記開閉体の巻取外径の増減に対応して、前記固定部材に対し、前記シャフトの回転に従動して移動することを特徴とする請求項１記載の軸芯移動シャッター。
【請求項４】
前記検出手段が、
前記固定部材に設けられ前記移動部材に対面する押圧子を有する検知部と、
前記移動部材に配設され、前記固定部材に対する突出長さを調整可能な調整部を備え、前記移動部材の前記検知部側への移動によって先端が前記押圧子を押圧可能な当接部材と、
からなることを特徴とする請求項１又は２又は３記載の軸芯移動シャッター。
【発明の詳細な説明】
【技術分野】
【０００１】
本発明は、開閉体を巻き取り・巻き戻すシャフトが平行移動可能となった軸芯移動シャッターに関し、さらに詳しくは、前記シャフトの所定移動範囲外の移動、すなわち、オーバーランを検知する改良技術に関する。
【背景技術】
【０００２】
建物等の構築物の出入口や窓部等の開口部に設けられる開閉体であるシャッターカーテンは、開口部の上方に設けられた巻取シャフトによって上端側が巻き取り・巻き戻される。従って、巻取シャフトに巻回されるシャッターカーテンの巻き外径は、巻き戻し時と、巻き取り時とで異なる。巻取シャフトから巻き取り・巻き戻されて昇降するシャッターカーテンは、開口の左右に設けられた上下に延在するガイドレールによって両側が案内される。このガイドレールの上端（呑込口）は、建物躯体側に固定される。このため、シャッターカーテンの巻き取り・巻き戻しによって巻き外径が変化すると、ガイドレールの呑込口と巻回体との間のシャッターカーテンが垂直には配置されず、必ずしも円滑な巻き取り・巻き戻しが行えない場合がある。
【０００３】
このような難点をさけようとしたものに、下記特許文献１に開示される可動巻取型シャッターがある。この可動巻取型シャッターは、ハンガーレールを下り勾配の状態で天井面に吊持対設し、ハンガーレールに滑動自在なハンガーローラを介して各ブラケットを懸吊し、両ブラケットに巻取シャフトを回転自在に軸支するとともに、一方のブラケットに巻取シャフトへ回転を伝達する伝動機構および開閉駆動源を併設している。また、ハンガーレールの下り勾配側にスムーサを配置固定し、巻取シャフトの巻き取り巻き戻し動作に応じて巻取シャフトがハンガーレールの傾斜に沿って移動し、スムーサが巻取シャフトの巻き外周面と常に接するようにしている。
【０００４】
この可動巻取型シャッターによれば、スムーサの表面と摺接するシャッターの巻き取り・巻き戻し位置、すなわち、シャッター芯をブラケットの前後方向への移動により一定にできるため、常にシャッターの巻き取り・巻き戻しを円滑に行うことが可能となる。
【０００５】
また、下記特許文献２に開示されるシャッター装置は、建築物の天井部分に取り付けられた支持フレームと、支持フレームに水平方向に直線移動可能に支持された移動台車と、移動台車に回転可能に支持され、移動台車の移動方向に対して直交する方向に延びる水平な巻取シャフトと、巻取シャフトを駆動回転させることにより、シャッターを開くときにはシャッタースラットを巻取シャフトの周囲にロール状に巻き取り、逆に、シャッターを閉じるときにはシャッタースラットを巻取シャフトから巻き戻す駆動モータと、上下方向に延び、巻取シャフトから垂れ下がっているシャッタースラットを案内するシャッターレールとを備えている。
【０００６】
従って、このシャッター装置によれば、駆動モータにより巻取シャフトを回転させてシャッタースラットを巻き戻しあるいは巻き取ると、シャッタースラットが僅かに傾斜してその自重の水平方向分力が移動力として移動台車に作用する。これにより、移動台車が移動し巻き開始位置がシャッターレールの直上に復帰して、円滑な巻き取り・巻き戻しが可能となる。
【特許文献１】実公平５−１０１４７号公報
【特許文献２】特開平８−２４００８５号公報
【発明の開示】
【発明が解決しようとする課題】
【０００７】
しかしながら、上記した従来のシャツター装置は、巻き取られたシャッターカーテンの自重による水平方向分力によって、巻き開始位置をシャッターレール（呑込口）の直上に移動させていたため、その移動力を十分に得ることができず、高速昇降を行う巻き取り・巻き戻しには、作動信頼性が低下する虞がある。
一方、巻き開始位置をガイドレールの直上に配置できるように、シャフトの回転に従動させて移動台を移動させる軸芯移動シャッターが提案されている。この軸芯移動シャッターは、シャフトを移動自在なブラケットに保持し、例えばチェーンや歯車等の回転力伝達手段を介してシャフトの回転に従動させてブラケットを移動させるので、より確実な移動が可能となり、シャッターカーテンの高速昇降時においても信頼性を高めることができる。
この種の軸芯移動シャッターにおいても、従来と同様に、シャッターカーテンの開放状態は、上限リミットスイッチ等によって検知されるものがあるが、何らかの原因によって上限リミットスイッチが作動しなかった場合には、シャフトの回転に従動するブラケットが所定移動範囲外に移動してしまう所謂オーバーランを生じさせる虞がある。
【０００８】
本発明は上記状況に鑑みてなされたもので、シャフトを保持するブラケットの通常の範囲を超えた移動を検出することのできる軸芯移動シャッターを提供し、もって、軸芯移動シャッターのさらなる安全性の確保を目的とする。
【課題を解決するための手段】
【０００９】
次に、上記の課題を解決するための手段を、実施の形態に対応する図面を参照して説明する。
この発明の請求項１記載の軸芯移動シャッター１００は、開口部３の一側に取り付けられた固定部材９と、
前記開口部３に対して垂直な方向で前記固定部材９に移動自在に設けられた移動部材１５，１６と、
該移動部材１５，１６に回動自在に支持され前記開口部３の一側に沿って延在するシャフト２３と、
前記シャフト２３に巻き取り・巻き戻されることで前記開口部３を開閉する開閉体５とを具備する軸芯移動シャッター１００において、
前記開閉体５の通常の巻き取り完了に応じた前記移動部材１５，１６の所定移動範囲を超えたオーバーランを検出する検出手段６９を、該移動部材１５，１６と前記固定部材９との間に亘って設けたことを特徴とする。
【００１０】
この軸芯移動シャッター１００では、例えば開閉体５の開放完了時に作動する上限リミットスイッチが何らかの原因で作動しないと、シャフト２３の回転が続行され、移動部材１５，１６が所定移動範囲を超える。すると、所定移動範囲を超えた移動部材１５，１６によって検出手段６９が作動され、軸芯（シャフト２３）の過剰移動が検出される。また、検出手段６９は、移動部材１５，１６の所定移動範囲外の移動のみを純然に検知するので、移動部材１５，１６のオーバーラン、例えば巻き取り完了時に大重量となった巻回開閉体５に作用する大きな慣性力によるオーバーランも検知可能となる。
【００１１】
請求項２の軸芯移動シャッター１００は、請求項１記載の軸芯移動シャッターにおいて、前記移動部材１５，１６は、前記固定部材９に対し、前記シャフト２３の回転に従動して移動することを特徴とする。
【００１２】
この軸芯移動シャッター１００では、例えば開閉体５の開放完了時に作動する上限リミットスイッチが何らかの原因で作動しないと、シャフト２３の回転が続行され、シャフト２３の回転に従動する移動部材１５，１６が所定移動範囲を超える。すると、所定移動範囲を超えた移動部材１５，１６によって検出手段６９が作動され、軸芯（シャフト２３）の過剰移動が検出される。また、検出手段６９は、移動部材１５，１６の所定移動範囲外の移動のみを純然に検知するので、シャフト２３の回転に従動していない状態での移動部材１５，１６のオーバーラン、例えば巻き取り完了時に大重量となった巻回開閉体５に作用する大きな慣性力によるオーバーランも検知可能となる。
【００１３】
請求項３の軸芯移動シャッター１００は、請求項１記載の軸芯移動シャッターにおいて、前記移動部材１５，１６は、前記シャフト２３に巻回される前記開閉体５の巻取外径の増減に対応して、前記固定部材９に対し、前記シャフト２３の回転に従動して移動することを特徴とする。
【００１４】
この軸芯移動シャッター１００では、シャフト２３に巻回される開閉体５の巻取外径の増減に対応して、シャフト２３の回転に従動し移動部材１５，１６が移動することとなり、すなわち、シャフト２３が例えば巻き取り方向に回転されると、このシャフト２３の一回転によって、開閉体５の略厚み分外径が増加し、この外径が増加した分、外径位置がガイドレール３１の呑み込み部と一致するようになって、外径の増加分だけ移動部材１５，１６（シャフト２３）が移動されるようになる。そして、例えば開閉体５の開放完了時に作動する上限リミットスイッチが何らかの原因で作動しないと、シャフト２３の回転が続行され、シャフト２３の回転に従動する移動部材１５，１６が所定移動範囲を超える。すると、所定移動範囲を超えた移動部材１５，１６によって検出手段６９が作動され、軸芯（シャフト２３）の過剰移動が検出される。また、検出手段６９は、移動部材１５，１６の所定移動範囲外の移動のみを純然に検知するので、シャフト２３の回転に従動していない状態での移動部材１５，１６のオーバーラン、例えば巻き取り完了時に大重量となった巻回開閉体５に作用する大きな慣性力によるオーバーランも検知可能となる。
【００１５】
請求項４記載の軸芯移動シャッター１００は、請求項１又は２又は３に記載の軸芯移動シャッターにおいて、前記検出手段６９が、
前記固定部材９に設けられ前記移動部材１５，１６に対面する押圧子７１ａを有する検知部７１と、
前記移動部材１５，１６に配設され、前記固定部材に対する突出長さを調整可能な調整部７３ａ，７５ｂを備え、前記移動部材１５，１６の前記検知部７１側への移動によって先端７５ａが前記押圧子７１ａを押圧可能な当接部材７５と、
からなることを特徴とする。
【００１６】
この軸芯移動シャッター１００では、移動部材１５，１６がオーバーランし、固定部材９に設けられたスイッチ７１に一定量以上接近すると、検知部７１の押圧子７１ａが、移動部材１５，１６に設けられた当接部材７５の先端７５ａに押圧され、移動部材１５，１６のオーバーランが簡素な構造で検知できる。また、当接部材７５が、移動部材１５，１６に調整部を介して配設されているので、先端突出長が可変され、これにより、オーバーランの検知範囲が調整可能となる。
【発明の効果】
【００１７】
本発明に係る請求項１記載の軸芯移動シャッターによれば、開閉体の通常の巻き取り完了に応じた移動部材の所定移動範囲を超えたオーバーランを検出する検出手段を、移動部材と固定部材との間に亘って設けたので、本来、例えば開閉体の開放完了時に作動する上限リミットスイッチが何らかの原因で作動しなかった場合であっても、移動部材が所定移動範囲を超えると、検出手段が作動して軸芯（シャフト）の過剰移動を検出することができる。この結果、移動部材のオーバーランを検知でき、軸芯移動シャッターのさらなる安全性を確保することができる。
【００１８】
請求項２記載の軸芯移動シャッターによれば、開閉体の通常の巻き取り完了に応じた移動部材の所定移動範囲を超えたオーバーランを検出する検出手段を、移動部材と固定部材との間に亘って設けたので、本来、例えば開閉体の開放完了時に作動する上限リミットスイッチが何らかの原因で作動しなかった場合であっても、シャフトの回転に従動する移動部材が所定移動範囲を超えると、検出手段が作動して軸芯（シャフト）の過剰移動を検出することができる。この結果、移動部材のオーバーランを検知でき、軸芯移動シャッターのさらなる安全性を確保することができる。
【００１９】
請求項３記載の軸芯移動シャッターによれば、シャフトに巻回される開閉体の巻取外径の増減に対応して、シャフトの回転に従動し移動部材が移動することとなり、すなわち、シャフトが例えば巻き取り方向に回転されると、シャフトの回転によって、開閉体の略厚み分外径が増加し、この外径の増加分だけ移動部材が移動され、そして、例えば開閉体の開放完了時に作動する上限リミットスイッチが何らかの原因で作動しないと、シャフトの回転が続行され、シャフトの回転に従動する移動部材が所定移動範囲を超えた際には、この移動部材によって検出手段が作動され、軸芯（シャフト）の過剰移動が検出される。この結果、移動部材のオーバーランを検知でき、軸芯移動シャッターのさらなる安全性を確保することができる。また、検出手段は、移動部材の所定移動範囲外の移動のみを純然に検知するので、シャフトの回転に従動していない状態での移動部材のオーバーラン、例えば巻き取り完了時に大重量となった巻回開閉体に作用する大きな慣性力によるオーバーランも検知可能となる。
【００２０】
請求項４記載の軸芯移動シャッターによれば、検出手段が、固定部材に設けられ移動部材に対面する押圧子を有するスイッチと、移動部材に配設され、枠体に対する突出長さを調整可能な調整部を備え、移動部材の検知部側への移動によって先端が押圧子を押圧可能な当接部材とからなるので、移動部材の所定移動範囲外の移動（オーバーラン）を、簡素な構造で検知することができ、しかも、当接部材の突出長さを調整することによってオーバーランの検知範囲が調整可能となるので、開口部の高さが異なる種々の軸芯移動シャッターに対しても当該検出手段の共用を可能にすることができる。
【発明を実施するための最良の形態】
【００２１】
以下、本発明に係る軸芯移動シャッターの好適な実施の形態を図面を参照して詳細に説明する。
図１は本発明に係る軸芯移動シャッターの正面図、図２は図１の要部拡大図、図３は図１に示した収容部の内部斜視図、図４は図３のＡ−Ａ矢視図、図５は図３のＢ−Ｂ矢視図、図６は通常の巻き取り完了時におけるシャフトの移動状態を表す動作説明図、図７は開閉体開放時における検出手段の動作説明図、図８はオーバーラン時における検出手段の動作説明図である。
【００２２】
建物等の構築物の壁１には例えば出入口等となる開口部３が設けられている。例えば屋内側面となる壁面の開口部３の一側としての上縁には開閉体であるシャッターカーテン５を収納する収納部７が設けられている。収納部７は、例えばチャンネル材からなる固定部材としての枠体９によって左右に長い直方体状に形成され、各面には図示しない外装パネルが取り付けられている。枠体９は、開口部３の間口幅方向である左右の各側部に、壁１に対し垂直に延在する図２に示す上枠１１と、下枠１３とを有している。
【００２３】
上枠１１と下枠１３との間には、図３に示す矩形板状の移動部材としてのブラケット１５，１６が配置されている。それぞれのブラケット１５，１６の下部には、下枠１３の上面を転動する一対の転動ローラ対１７，１７が、下枠１３の長手方向に離間されて２組配設されている。このうち、例えば１組の転動ローラ対１７の軸には連結板１９が取り付けられ、連結板１９の下端には転動ローラ対１７とで下枠１３を挟持する下部ローラ２１が回動自在に取り付けられている。つまり、それぞれのブラケット１５，１６は、下枠１３を転動ローラ対１７と下部ローラ２１とによって上下から挟持しながら、下枠の延在方向である壁１に垂直な方向に移動自在に設けられている。
【００２４】
この一対のブラケット１５，１６には、壁１に平行かつ水平方向に延在するシャフト２３の両端が回動自在に支持されている。シャフト２３の一端には減速装置であるギヤボックス２５を介して、開閉機（駆動モータ）２７が接続されている。開閉機２７、ギヤボックス２５は、一方のブラケット１６に支持固定される。従って、開閉機２７が駆動されると、その回転がギヤボックス２５により減速され、シャフト２３が巻き取り・巻き戻し方向へ回転駆動されるようになっている。シャフト２３の両端には、シャッターカーテン５を巻回する巻取板２９，２９が固設されている。
【００２５】
開口部３の間口幅方向両側には、シャッターカーテン５をガイドするためのガイドレール３１が取り付けられている。それぞれの巻取板２９，２９は、ガイドレール３１の延長線上の上方に位置する。巻取板２９，２９は、図４に示すように、外円周の一部に、半径方向に高低差を形成した段部３３を有している。この段部３３の高さはシャッターカーテン５を構成する連結部材３５の厚さと略同等に設定されている（図４参照）。
【００２６】
巻取板２９，２９の段部３３には、シャッターカーテン５の上端が連結部材３５を介して連結される。シャッターカーテン５は、巻取板２９，２９に渦巻き状に巻き取られて開口部３を開放し、また、巻取板２９から巻き戻されることで開口部３を閉鎖する。シャッターカーテン５は、シャッターカーテン５としての両側縁５ａとなる連結部材３５と、左右両側縁の各連結部材３５に掛け渡されるように設けられる間仕切片としてのスラット３７と大略構成されている。
【００２７】
巻取板２９，２９の外方となるシャフト２３の両端には、小スプロケット３９が固設されている。また、ブラケット１５，１６には、小スプロケット３９の下方に大スプロケット４１が回動自在に設けられ、この大スプロケット４１と小スプロケット３９との間にはチェーン４３が掛け渡されている。大スプロケット４１をブラケット１５，１６に回動自在に支持した回動軸４５には、移動用スプロケット４７が固設される。また、ブラケット１５，１６には、移動用スプロケット４７に対し離間して従動スプロケット４９が回動自在に設けられている。この移動用スプロケット４７と従動スプロケット４９との間には移動用チェーン５１が掛け渡され、移動用チェーン５１は一部５１ａが下枠１３に固定されている。
【００２８】
従って、開閉機２７が駆動され、ギヤボックス２５を介してシャフト２３が回転すると、チェーン４３を介して大スプロケット４１が回転し、大スプロケット４１の回転により移動用スプロケット４７が回転される。これにより、一部５１ａが固定状態にある移動用チェーン５１上を、移動用スプロケット４７が移動することとなり、これに伴ってブラケット１５，１６が下枠１３の延在方向に移動されるようになっている。すなわち、シャフト２３の回転に従動してブラケット１５，１６が移動する。
【００２９】
シャフト２３が例えば巻き取り方向に回転されると、巻取板２９，２９にシャッターカーテン５が巻き取られ、シャッターカーテン５の外径が大きくなる。すなわち、シャフト２３の一回転によって、シャッターカーテン５の略厚み分外径が増加する。シャッターカーテン５は、外径が増加した分、外径位置がガイドレール３１の呑み込み部と一致するように、小スプロケット３９と大スプロケット４１との歯数比が所定の値に設定されている。つまり、外径の増加分だけブラケット１５，１６、すなわち、シャフト２３が移動されるようになっている。また、外径が減少する分、すなわちシャッターカーテン５を巻き戻し、シャッターカーテン５の外径が小さくなる際も、上記同様に、その減少分だけブラケット１５，１６（シャフト２３）が移動することとなる。
【００３０】
このように、軸芯移動シャッターは、シャフト２３を移動させる軸芯移動機構を備えているので、シャッターカーテン５を常に垂直に昇降させる。そして、巻取板２９，２９は、シャッターカーテン５を構成する連結部材３５のみを巻き取り、シャッターカーテン５を左右両縁のみで巻き取る。従って、スラット３７同士が触れ合うことがなく、スラット３７表裏面への接触傷などが発生しない。また、合成樹脂製の連結部材３５が巻取板２９，２９に巻き取り・巻き戻されるので、その接触音などが大きくならず、特に連結部材３５の背面側に軟質な樹脂よりなる緩衝層を設けたことから、開閉時の接触音の低減化が図れ、動作音の抑止された開閉動作が可能となる。
【００３１】
軸芯移動シャッターは、この高速開閉を高信頼性の元に実現させるための種々の補機を備えている。例えばシャフト２３の端部には、シャフト回転時の回転を付勢するバランスウエイト５３が接続され、バランスウエイト５３はシャッターカーテン５の始動時や停止時の速度を調節するよう働く。また、バランスウエイト５３は、スプリング５５を介してシャフト２３に接続されることで、開閉機２７の負担を軽減するとともに、停電時の非常時に、手動でのシャッターカーテン開放を容易にしている。
【００３２】
シャッターカーテン５の最下端には座板５７が取り付けられ、座板５７は障害物感知装置である感圧センサなどの座板感知装置（図示せず）を備えている。また、ガイドレール３１の内部には、図示しない光電センサ、エリアセンサが設けられ、これら光電センサ、エリアセンサは開口部３に存在する障害物を感知可能としている。これら座板感知装置、光電センサ及びエリアセンサは、例えば収納部７に付設されるセンサ用コントローラ５９に接続される。
【００３３】
収納部７の内部のギヤボックス２５の近傍には、動作リミットコントローラ６１が設けられ、動作リミットコントローラ６１は図示しない下限リミットスイッチ、上限リミットスイッチからの検知信号を受けて開閉機２７の駆動開始、駆動停止を制御可能としている。これらセンサ用コントローラ５９及び動作リミットコントローラ６１は、開口部側方の壁１に設けられたシャッター制御盤６３に信号線６５によって接続される。
【００３４】
シャッター制御盤６３には図示しない主制御部が設けられ、主制御部には上記のセンサ用コントローラ５９及び動作リミットコントローラ６１が接続されている。また、シャッター制御盤６３には図示しない３点操作ボタン、非常停止ボタン等が設けられ、これらも主制御部に接続されている。主制御部は、３点操作ボタン、非常停止ボタン等からの操作入力信号に応じ、開閉機２７を開閉制御するとともに、上記のセンサ用コントローラ５９、動作リミットコントローラ６１からの信号を受けて開閉機２７を駆動制御する。
【００３５】
ところで、収納部７の内部には、図５に示すように、枠体９の縦枠６７と、一方のブラケット１５との間に亘って検出手段６９が取り付けられている。検出手段６９は、押圧子７１ａを有する検知部７１と、調整部７３ａ，７５ｂを備える当接部材７５とで構成され、本実施の形態においては、枠体９に設けられブラケット１５に対面する押圧子７１ａを有する検知部としてのスイッチ７１と、ブラケット１５に固設され調整部の一方を構成する雌ねじ部７３ａを有する支持板７３と、支持板７３の雌ねじ部７３ａに螺合され調整部の他方を構成する雄ねじ部７５ｂを備えブラケット１５のスイッチ７１側への移動によって先端７５ａが押圧子７１ａを押圧可能な当接部材としてのアジャストボルト７５とからなる。
【００３６】
本実施の形態において、スイッチ７１は、ブラケット１５を挟んで壁１と反対側の縦枠６７に設けられ、アジャストボルト７５は、スイッチ７１の押圧子７１ａに軸線の延長線が一致するように配設されている。なお、検出手段６９は、この他、ブラケット１５の上部と上枠１１との間に亘って配設されてもよく、また、他方のブラケット１６に配設する構成や、或いは、縦枠６７にアジャストボルト７５を配置し、ブラケット１５（１６）にスイッチ７１を配置する構成などとしても良い。
【００３７】
スイッチ７１は、揺動杆７１ｂの先端にローラ状の押圧子７１ａが設けられ、押圧子７１ａが押圧されることにより、揺動杆７１ｂが揺動され、内部の接点を閉状態とするマイクロスイッチを好適に用いることができる。このスイッチ７１の開閉接点は、図示しない信号線によってシャッター制御盤６３の主制御部へと接続されている。なお、このスイッチ７１は、縦枠６７に対する取付手段としてネジを貫通し螺着させることなどで行われるが、このネジを貫通する取付孔を長孔に形成することで、取付位置の微調整が可能となる。
【００３８】
検出手段６９は、シャッターカーテン５の通常の巻き取り完了に対応したブラケット１５の所定移動範囲では、アジャストボルト７５の先端７５ａが押圧子７１ａに接触しないように、突出長が調節されている。つまり、通常のブラケット１５の移動範囲では、スイッチ７１が押圧されることはない。一方、シャッターカーテン５の通常の巻き取り完了に応じたブラケット１５の所定移動範囲を超えた、所謂オーバーラン状態では、アジャストボルト７５の先端７５ａが押圧子７１ａを押圧する。
【００３９】
次に、上記の構成を有する軸芯移動シャッター１００の動作を説明する。
軸芯移動シャッター１００は、開口部３の閉鎖時、図６に示す巻取板２９にシャッターカーテン５が巻回された状態で、シャッター制御盤６３の閉ボタンが押されると、開閉機２７が駆動され、巻取板２９に巻回されたシャッターカーテン５が巻き戻される。巻き戻されたシャッターカーテン５は、先端がガイドレール３１に沿って開口部３を下降し、開口部３を閉鎖する。
【００４０】
これと同時に、巻取板２９に巻回されたシャッターカーテン５の外径は、徐々に小さくなる。この際のシャフト２３の回転は、チェーン４３を介して大スプロケット４１に伝達され、移動用スプロケット４７が回転される。回転された移動用スプロケット４７は、固定状態の移動用チェーン５１上を転動することとなり、ブラケット１５，１６が壁１に接近する方向へ移動される。これにより、シャッターカーテン５がガイドレールの上方において垂直状態のまま巻き戻されることになる。
【００４１】
一方、シャッター制御盤６３の開放ボタンが押されると、開閉機２７が開方向へ回転され、シャッターカーテン５が上端側から巻取板２９，２９が高速に巻き取られて行く。これに伴い、巻取板２９に巻き取られたシャッターカーテン５の外径は、徐々に大きくなる。この際のシャフト２３の回転は、チェーン４３を介して大スプロケット４１に伝達され、移動用スプロケット４７が回転される。回転する移動用スプロケット４７は、固定状態の移動用チェーン５１上を転動することとなり、ブラケット１５，１６が壁１から離反する方向（図７の左方向）へ移動される。これにより、シャッターカーテン５がガイドレールの上方において垂直状態のまま巻き取られることになる。
【００４２】
シャッターカーテン５の巻き取りが完了すると、上限リミットスイッチが作動し、その作動信号がシャッター制御盤６３の主制御部に送られることで、主制御部は、開閉機２７へ駆動停止信号を送出する。これにより、シャフト２３の回転が停止するとともに、ブラケット１５，１６の移動も停止される。この際、図７に示すように、検出手段６９のアジャストボルト７５は、スイッチ７１の押圧子７１ａを押圧する直前で止まる。
【００４３】
ここで、仮に上限リミットスイッチが何らかの原因で作動しなかったり、スプロケットの磨耗やチェーンの破損によってシャッターカーテン５の巻き取り完了後においても、ブラケット１５，１６が所定移動範囲を超えてオーバーランしようとすると、図８に示すように、ブラケット１５に設けられているアジャストボルト７５がスイッチ７１の押圧子７１ａを押圧し、スイッチ７１の内部接点を閉状態とする。このスイッチ７１の閉信号（異常信号）は、シャッター制御盤６３の主制御部へ送出される。主制御部は、この異常信号を受けて開閉機２７へ駆動停止信号を送出する。これにより、仮に上限リミットスイッチが作動しない場合であっても、ブラケット１５，１６が所定移動範囲を超えると、直ちに開閉体が強制的に停止される。
【００４４】
従って、この軸芯移動シャッター１００によれば、シャッターカーテン５の通常の巻き取り完了に応じたブラケット１５，１６の所定移動範囲を超えたオーバーランを検出する検出手段６９を、ブラケット１５，１６と枠体９との間に亘って設けたので、本来、シャッターカーテン５の開放完了時に作動する上限リミットスイッチが何らかの原因で作動しなかった場合であっても、シャフト２３の回転に従動するブラケット１５，１６が所定移動範囲を超えると、検出手段６９が作動してシャフト２３の過剰移動を検出することができる。この結果、ブラケット１５，１６のオーバーランを検知でき、軸芯移動シャッター１００のさらなる安全性を確保することができる。
【００４５】
また、検出手段６９は、ブラケット１５，１６の所定移動範囲外の移動のみを純然に検知するので、シャフト２３の回転に従動していない状態でのブラケット１５，１６のオーバーラン（例えば巻き取り完了時に大重量となった巻回シャッターカーテン５に作用する大きな慣性力によるオーバーラン）も検知することができる。
【００４６】
そして、検出手段６９は、上記のように構成したことで、ブラケット１５，１６のオーバーランが簡素な構造で検知できる。また、アジャストボルト７５が、ブラケット１５，１６に固設された支持板７３に螺合支持されているので、回動によって先端突出長が可変され、これにより、オーバーランの検知範囲が調整可能となる。この結果、開口部３の高さが異なる種々の軸芯移動シャッター１００に対しても当該検出手段６９の共用を可能にすることができる。
【００４７】
なお、上述した実施の形態では、検出手段の構成としてアジャストボルト７５を具備した例として説明したが、このアジャストボルト７５の形状として、先端７５ａの形状を皿状に形成するなどやや大径に形成する構成としてもよく、このような構成とすることでスイッチ７１側への当接状態を向上させることが可能となる。
【図面の簡単な説明】
【００４８】
【図１】本発明に係る軸芯移動シャッターの正面図である。
【図２】図１の要部拡大図である。
【図３】図１に示した収容部の内部斜視図である。
【図４】図３のＡ−Ａ矢視図である。
【図５】図３のＢ−Ｂ矢視図である。
【図６】通常の巻き取り完了時におけるシャフトの移動状態を表す動作説明図である。
【図７】開閉体開放時における検出手段の動作説明図である。
【図８】オーバーラン時における検出手段の動作説明図である。
【符号の説明】
【００４９】
３…開口部
３ａ…一側（上縁）
５…開閉体（シャッターカーテン）
５ａ…側縁
９…固定部材（枠体）
１５，１６…移動部材（ブラケット）
２３…シャフト
６９…検出手段
７１…検知部（スイッチ）
７１ａ…押圧子
７３…支持板
７３ａ…調整部（雌ねじ部）
７５…当接部材（アジャストボルト）
７５ｂ…調整部（雄ねじ部）
１００…軸芯移動シャッター
【図１】
2005120597.tif 000003
【図２】
2005120597.tif 000004
【図３】
2005120597.tif 000005
【図４】
2005120597.tif 000006
【図５】
2005120597.tif 000007
【図６】
2005120597.tif 000008
【図７】
2005120597.tif 000009
【図８】
2005120597.tif 000010